(57)【要約】【課題】浴室の壁に組み立てられ、同時に、ディスプレーそして鏡として利用でき、有効に空間を利用して、確実に防水や浴室の美化等の効果が得られる表示装置を提供する。【解決手段】収納区があり、両面にそれぞれ収納区に連通される収納孔とアウトレット孔が設けられるハウジングと、収納区に設置されるディスプレーと、ディスプレーに対応するように収納孔に設置され、鏡として使用できるガラス層と、収納区に設置され、収納孔とガラス層との連接箇所まで延ばす防水層とが含有される。また、該ディスプレーを防水ゴムカバーで覆ってから、ハウジングの収納区に設置し、その後、ガラス層を設置しても良い。【選択図】図２
0003139249.tif 000002
【実用新案登録請求の範囲】
【請求項１】
収納区があり、両面にそれぞれ収納区に連通される収納孔とアウトレット孔が設けられるハウジングと、該収納孔に対応するように上記ハウジングの収納区に設置されるディスプレーと、該ディスプレーに対応するように、上記ハウジングの収納孔に設置され、無機コーティング材がコーティングされるガラス層と、上記ハウジングの収納区に設置され、収納孔とガラス層との連接箇所まで伸ばす防水層が含有されることを特徴とする、表示装置。
【請求項２】
収納区があり、両面にそれぞれ収納区に連通される収納孔とアウトレット孔が設けられるハウジングと、該収納孔に対応するように、上記ハウジングの収納区に設置されるディスプレーと、該ディスプレーの外部を覆う防水ゴムカバーと、
上記ディスプレーに対応するように、上記ハウジングの収納孔に設置され、無機コーティング材がコーティングされるガラス層が含有されることを特徴とする、表示装置。
【請求項３】
上記ハウジングのアウトレット孔は、ファンが設置されることを特徴とする、請求項１に記載の表示装置。
【考案の詳細な説明】
【技術分野】
【０００１】
本考案は、表示装置に関し、特に、浴室の壁に組み立てられ、同時にディスプレーそして鏡として利用でき、有効に空間を利用して確実に防水や浴室の美化等の効果が得られるものに関する。
【背景技術】
【０００２】
一般の従来の浴室は、該空間内にシャワーユニットや便座、浴槽及び洗面台等の衛生浴室設備が設置されて、ユーザーがそれを利用して体を清潔し、また、現代の人は生活の圧力が大きいため、風呂により圧力を解消することや筋骨をリラックスすることを企むが、一般の浴室は、風呂に入る時、目を閉じて休憩するか天井を見張るかしかできず、そのため完全に圧力を解消することや筋骨をリラックスする効果が得られない。
【０００３】
故に、視聴設備を浴室に実装することが提案され、それにより、ユーザーが風呂に入る時でも視聴設備を使用でき、これにより、ユーザーが風呂に入ることにより、ゆったりして完全に圧力を解消して、筋骨をリラックスする効果が得られる。該視聴設備を実装する時、一般として、浴室の壁や柱に掘ることにより設置空間を形成する工事を行い、そしてディスプレーを該設置空間に埋め込み、その後、透明であるガラスで設置空間の一面を封じ、これにより、ユーザーが風呂に入る時、同時に視聴設備を使用する効果が得られる。
【０００４】
該視聴設備を実装する時、浴室の壁や柱に掘ることにより設置空間が形成されるため、膨大な工事になり、また、壁や柱に掘ることにより設置空間を形成すると、浴室の壁全体の設計が影響され、また浴室の美観が破壊され、そして、該壁や柱が板材により装飾されたものであれば、防水性が悪くて水蒸気が連接箇所から侵入する恐れがあり、そしてディスプレーが濡れられて故障になる問題がある。
【考案の開示】
【考案が解決しようとする課題】
【０００５】
本考案の主な目的は、浴室の壁に組み立てられ、同時にディスプレーそして鏡として利用でき、有効に空間を利用して、確実に防水や浴室の美化の効果が得られる表示装置を提供する。
【課題を解決するための手段】
【０００６】
請求項１の考案は、収納区があり、両面にそれぞれ収納区に連通される収納孔とアウトレット孔が設けられるハウジングと、該収納孔に対応するように、上記ハウジングの収納区に設置されるディスプレーと、該ディスプレーに対応するように、上記ハウジングの収納孔に設置され、無機コーティング材がコーティングされるガラス層と、上記ハウジングの収納区に設置され、収納孔とガラス層との連接箇所まで伸ばす防水層が含有されることを特徴とする、表示装置である。
【０００７】
請求項２の考案は、収納区があり、両面にそれぞれ収納区に連通される収納孔とアウトレット孔が設けられるハウジングと、該収納孔に対応するように、上記ハウジングの収納区に設置されるディスプレーと、上記ディスプレーの外部を覆う防水ゴムカバーと、上記ディスプレーに対応するように、上記ハウジングの収納孔に設置され、無機コーティング材がコーティングされるガラス層が含有されることを特徴とする、表示装置である。
【０００８】
請求項３の考案は、該ハウジングのアウトレット孔は、ファンが設置されることを特徴とする、請求項１に記載の表示装置である。
【考案を実施するための最良の形態】
【０００９】
図１と２及び３は、それぞれ、本考案の第１の実施例の立体外観概念図と本考案の第１の実施例の立体分解概念図及び本考案の第１の実施例の断面状態概念図である。図のように、本考案は、表示装置で、ハウジング１とディスプレー２、ガラス層３及び防水層４から構成され、浴室の壁に組み立てられて、ディスプレーそして鏡として利用でき、これにより、有効に空間を利用して確実に防水や浴室の美化等の効果が得られる。
【００１０】
上記ハウジング１は、収納区１１があり、該ハウジング１の両面に、それぞれ該収納区１１に連通する収納孔１２とアウトレット孔１３が設けられ、また、該ハウジング１のアウトレット孔１３にファン１４が設置されても良い。
【００１１】
該ディスプレー２は、該収納孔１２に対応するように、上記ハウジング１の収納区１１に設置され、ＴＦＴ  ＬＣＤディスプレーである。
【００１２】
該ガラス層３は、ディスプレー２に対応するように、上記ハウジング１の収納孔１２に設置され、無機コーティング材がコーティングされることにより、鏡として使用できる。
【００１３】
該防水層４は防水通気可能の布材で、上記ハウジング１の収納区１１に設置され、収納孔１２とガラス層３との連接箇所まで延ばし、また、該防水層４は、ハウジング１の収納区１１そして収納孔１２とガラス層３の連接箇所に貼り合わせられ、或いは、固定枠４１によりハウジング１の収納区１１そして収納孔１２とガラス層３の連接箇所に設置される。上記構造により、新規な表示装置が形成される。
【００１４】
図４と５は、それぞれ、本考案の第１の実施例の組立て状態の概念図と本考案の第１の実施例の組立ての断面状態の概念図である。図のように、本考案は、組立てる時、ディスプレー２とガラス層３及び防水層４をハウジング１の収納区１１に設置し、また、該ディスプレー２の電源線２１がアウトレット孔１３を介して外へ延ばし出し、その後、該ハウジング１を浴室の洗面台５の壁５０に予め設置された設置孔５１に設置し、また、該ディスプレー２の電源線２１を該設置孔５１上の電源部５２に接続し、そして、該ハウジング１と該壁５０の設置孔５１との間について防水処理を行うと組立てを終了する。
【００１５】
使用する時、リモコン３２やスイッチ部３３で該ディスプレー２を制御して、該ディスプレー２が該ガラス層３を介して画面を表示し、これによりユーザーが浴室にて該ディスプレー２を利用して視聴娯楽を実現でき、また、該アウトレット孔１３上に位置するファン１４により、該ディスプレー２が稼働することにより発生した熱い空気を排出する。該ディスプレー２を使用しない時、該リモコン３２や該スイッチ部３３により該ディスプレー２を制御して、該ディスプレー２をオフし、これにより該ディスプレー２が見えなくなり、また、該ガラス層３を該洗面台５の上方に位置する鏡として使用できる。
【００１６】
図６と７及び８は、それぞれ、本考案の第２の実施例の立体外観概念図と本考案の第２の実施例の立体分解概念図及び本考案の第２の実施例の組立て後の断面状態概念図である。図のように、本考案は、上記の第１の実施例の構造形態の他に、直接にディスプレー２の外部に透明の防水ゴムカバー６を覆って、該防水ゴムカバー６によって覆われたディスプレー２をハウジング１の収納区１１に設置し、そして、該ハウジング１の収納孔１２にガラス層３を設置し、また、該ディスプレー２の電源線２１はアウトレット孔１３を介して延ばし出し、その後、上記の第１の実施例の方式により、該ハウジング１を浴室の洗面台５の壁５０に設置することもできる。
【００１７】
使用する時、同じように、リモコン３２やスイッチ部３３で該ディスプレー２を制御して、該ディスプレー２が該ガラス層３を介して画面を表示し、これによりユーザーが浴室にて該ディスプレー２を利用して視聴娯楽を実現でき、また、該アウトレット孔１３上に位置するファン１４により、該ディスプレー２が稼働することにより発生した熱い空気を排出し、また、該ガラス層３を該洗面台５の上方に位置する鏡として使用できる。
【００１８】
以上のように、本考案に係わる表示装置によれば、有効的に従来の諸欠点を改善でき、浴室の壁に組み立てられ、同時にディスプレーそして鏡として利用でき、有効に空間を利用して、確実に防水や浴室の美化等の効果が得られるため、本考案はより進歩的かつより実用的で、法に従って実用新案登録請求を出願する。
【００１９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２０】
【図１】本考案の第１の実施例の立体外観概念図
【図２】本考案の第１の実施例の立体分解概念図
【図３】本考案の第１の実施例の断面状態概念図
【図４】本考案の第１の実施例の組立て状態概念図
【図５】本考案の第１の実施例の組立て断面状態概念図
【図６】本考案の第２の実施例の立体外観概念図
【図７】本考案の第２の実施例の立体分解概念図
【図８】本考案の第２の実施例の組立て断面状態概念図
【符号の説明】
【００２１】
１        ハウジング
１１      収納区
１２      収納孔
１３      アウトレット孔
１４      ファン
２        ディスプレー
２１      電源線
３        ガラス層
３２      リモコン
３３      スイッチ部
４        防水層
４１      固定枠
５        洗面台
５０      壁
５１      設置孔
５２      電源部
６        防水ゴムカバー
【図１】
0003139249.tif 000003
【図２】
0003139249.tif 000004
【図３】
0003139249.tif 000005
【図４】
0003139249.tif 000006
【図５】
0003139249.tif 000007
【図６】
0003139249.tif 000008
【図７】
0003139249.tif 000009
【図８】
0003139249.tif 000010